(57)【要約】【課題】  故障した場合でもシステムを停止することなく、画像形成が継続できるシステムを提供する。【解決手段】  １個以上の光源から出力された光により画像を形成する画像形成装置と、１個以上のインクジェットヘッドから出力されたインクにより画像を形成する画像形成装置とを備え、各画像形成装置を同期させながら画像形成を行う画像形成制御装置とを備えたシステムで、複数の光源のうち、１個以上の光源の故障が発生した場合、選択可能な光源数の少ない画像形成装置の画像形成速度に合せて、各画像形成装置の光源の個数と配置及び各画像形成装置のインクジェットヘッドの個数と配置を決定して画像形成を行う。【選択図】  図１
2010076172.tif 000002
【特許請求の範囲】
【請求項１】
複数の光源と、任意の選択された光源を駆動可能な光源駆動部と、光源が故障したことを検知する故障検知部とを有し、１個以上の光源から出力された光により画像を形成する画像形成装置と、
複数のインクジェットヘッドと、任意の選択されたインクジェットヘッドを駆動可能なインクジェットヘッド駆動部と、インクジェットヘッドが故障したことを検知する故障検知部とを有し、１個以上のインクジェットヘッドから出力されたインクにより画像を形成する画像形成装置と、
故障した光源の個数と配置に対応して使用する光源を選択し、故障したインクジェットヘッドの個数と配置に対応して使用するインクジェットヘッドを選択する制御部を有し、各画像形成装置を同期させながら画像形成を行う画像形成制御装置とを備えた画像形成システムにおいて、
複数の光源のうち１個以上の光源の故障が発生した場合、選択可能な光源数の少ない画像形成装置の画像形成速度に合せて、各画像形成装置の光源の個数と配置、および各画像形成装置のインクジェットヘッドの個数と配置を決定して画像形成を行うことを特徴とする画像形成システム。
【請求項２】
複数の光源と、任意の選択された光源を駆動可能な光源駆動部と、光源が故障したことを検知する故障検知部とを有し、１個以上の光源から出力された光により画像を形成する画像形成装置と、
複数のインクジェットヘッドと、任意の選択されたインクジェットヘッドを駆動可能なインクジェットヘッド駆動部と、インクジェットヘッドが故障したことを検知する故障検知部とを有し、１個以上のインクジェットヘッドから出力されたインクにより画像を形成する画像形成装置と、
故障した光源の個数と配置に対応して使用する光源を選択し、故障したインクジェットヘッドの個数と配置に対応して使用するインクジェットヘッドを選択する制御部を有し、複数台の各画像形成装置を同期させながら画像形成を行う画像形成制御装置とを備えた画像形成システムにおいて、
複数のインクジェットヘッドのうち１個以上のインクジェットヘッドの故障が発生した場合、選択可能なインクジェットヘッド数の少ない画像形成装置の画像形成速度に合せて、各画像形成装置の光源の個数と配置、および各画像形成装置のインクジェットヘッドの個数と配置を決定して画像形成を行うことを特徴とする画像形成システム。
【請求項３】
光源またはインクジェットヘッドの故障を検知したときに、故障した光源の個数と配置、故障したインクジェットヘッドの個数と配置、画像形成装置番号を画像形成システムの販売・製造メーカーに通知する通知手段とを有することを特徴とする請求項１または２に記載の画像形成装置システム。
【請求項４】
光源またはインクジェットヘッドの故障を検知したときに、故障した光源の個数と配置、故障したインクジェットヘッドの個数と配置、画像形成装置番号をユーザーに通知する通知手段を有することを特徴とする請求項１ないし３のいずれか１項に記載の画像形成装置システム。
【発明の詳細な説明】
【技術分野】
【０００１】
本発明は、複数の光源から出力された光により画像を形成する画像形成装置と、複数のインクジェットヘッドから出力されたインクにより画像を形成する画像形成装置と、各画像形成装置を同期させながら画像形成を行う画像形成制御装置とを備えた画像形成システムに関するものである。
【背景技術】
【０００２】
複数の光源から出力された光により画像を形成する一台の画像形成装置において、複数の光源のうち1個以上の光源の故障が発生した場合に、故障した光源の個数、配置に対応して使用する光源を選択して、選択した光源の光の主走査方向の走査速度と、各画像形成装置の光源を点灯させる画像信号の周波数は変更せずに、画像形成速度を遅くして画像形成装置が提案されている（特許文献１）。
【０００３】
また、同一装置内に電子写真記録方式の画像形成手段と、インクジェット記録方式の画像形成手段の複数の異なる方式の画像形成手段を有する画像形成装置が提案されている（特許文献２）。
【０００４】
【特許文献１】特開平１１−４８５２８号公報
【特許文献２】特許第３４９１９０８号公報
【発明の開示】
【発明が解決しようとする課題】
【０００５】
従来の複数の光源から出力された光により画像を形成する画像形成装置と、複数のインクジェットヘッドから出力されたインクジェットにより画像を形成する画像形成装置と、各画像形成装置を同期させながら画像形成を行う画像形成制御装置を備えた第１の画像形成システムにおいては、複数の光源のうち１個以上の光源の故障が発生した場合に、画像形成システムが停止するという欠点がある。
【０００６】
また従来の複数の光源から出力された光により画像を形成する画像形成装置と、複数のインクジェットヘッドから出力されたインクジェットにより画像を形成する画像形成装置と、各画像形成装置を同期させながら画像形成を行う画像形成制御装置を備えた第２の画像形成システムにおいては、複数のインクジェットヘッドのうち１個以上のインクジェットヘッドの故障が発生した場合に、画像形成システムが停止するという欠点がある。
【０００７】
さらに前記第１および第２の画像形成システムにおいては、光源またはインクジェットヘッドの故障を検知したときに、故障した光源の個数と配置、故障したインクジェットヘッドの個数と配置、画像形成装置番号を画像形成システムの販売・製造メーカーに通知していないために、故障部品交換までの時間が長いという欠点がある。
【０００８】
さらに前記画像形成システムにおいては、光源またはインクジェットヘッドの故障を検知したときに、光源またはインクジェットヘッドの故障を検知したときに、故障した光源の個数と配置、故障したインクジェットヘッドの個数と配置、画像形成装置番号をユーザーに通知していないため、故障部品交換までの時間が長いという欠点がある。
【０００９】
本発明の目的は、このような従来技術の欠点を解消し、故障した場合でもシステムを停止することなく、画像形成が継続できる画像形成システムを提供することにある。
【課題を解決するための手段】
【００１０】
前記目的を達成するため、本発明の第１の手段は、複数の光源と、任意の選択された光源を駆動可能な光源駆動部と、光源が故障したことを検知する故障検知部とを有し、１個以上の光源から出力された光により画像を形成する画像形成装置と、
複数のインクジェットヘッドと、任意の選択されたインクジェットヘッドを駆動可能なインクジェットヘッド駆動部と、インクジェットヘッドが故障したことを検知する故障検知部とを有し、１個以上のインクジェットヘッドから出力されたインクにより画像を形成する画像形成装置と、
故障した光源の個数と配置に対応して使用する光源を選択し、故障したインクジェットヘッドの個数と配置に対応して使用するインクジェットヘッドを選択する制御部を有し、各画像形成装置を同期させながら画像形成を行う画像形成制御装置とを備えた画像形成システムにおいて、
複数の光源のうち１個以上の光源の故障が発生した場合、選択可能な光源数の少ない画像形成装置の画像形成速度に合せて、各画像形成装置の光源の個数と配置、および各画像形成装置のインクジェットヘッドの個数と配置を決定して画像形成を行うことを特徴とするものである。
【００１１】
本発明の第２の手段は、複数の光源と、任意の選択された光源を駆動可能な光源駆動部と、光源が故障したことを検知する故障検知部とを有し、１個以上の光源から出力された光により画像を形成する画像形成装置と、
複数のインクジェットヘッドと、任意の選択されたインクジェットヘッドを駆動可能なインクジェットヘッド駆動部と、インクジェットヘッドが故障したことを検知する故障検知部とを有し、１個以上のインクジェットヘッドから出力されたインクにより画像を形成する画像形成装置と、
故障した光源の個数と配置に対応して使用する光源を選択し、故障したインクジェットヘッドの個数と配置に対応して使用するインクジェットヘッドを選択する制御部を有し、複数台の各画像形成装置を同期させながら画像形成を行う画像形成制御装置とを備えた画像形成システムにおいて、
複数のインクジェットヘッドのうち１個以上のインクジェットヘッドの故障が発生した場合、選択可能なインクジェットヘッド数の少ない画像形成装置の画像形成速度に合せて、各画像形成装置の光源の個数と配置、および各画像形成装置のインクジェットヘッドの個数と配置を決定して画像形成を行うことを特徴とするものである。
【００１２】
本発明の第３の手段は前記第１または第２の画像形成装置システムにおいて、光源またはインクジェットヘッドの故障を検知したときに、故障した光源の個数と配置、故障したインクジェットヘッドの個数と配置、画像形成装置番号を画像形成システムの販売・製造メーカーに通知する通知手段とを有することを特徴とするものである。
【００１３】
本発明の第４の手段は前記第１ないし第３の画像形成装置システムにおいて、光源またはインクジェットヘッドの故障を検知したときに、故障した光源の個数と配置、故障したインクジェットヘッドの個数と配置、画像形成装置番号をユーザーに通知する通知手段を有することを特徴とするものである。
【発明の効果】
【００１４】
前記第１の手段においては、複数の光源のうち１個以上の光源の故障が発生した場合、選択可能な光源数の少ない画像形成装置の画像形成速度に合せて、各画像形成装置の光源の個数と配置、および各画像形成装置のインクジェットヘッドの個数と配置を決定し、画像形成速度を遅くして画像形成を継続できる。
【００１５】
また、画像形成を行うインクジェットヘッドと停止するインクジェットヘッドを任意の周期で変更することにより、インクジェットを長時間停止することによるインク滴の吐出不良の発生が押さえられ、パージ回数を減らすことができインク消費が抑えられる。
【００１６】
また、画像形成を行うインクジェットヘッドと停止するインクジェットヘッドを任意の周期で変更することにより、インクジェット交換周期が伸びることによりメンテナンス性が良くなる。
【００１７】
また、後続に画像形成速度の遅い電子写真式印刷装置がある場合、インクジェット式印刷装置との速度差により発生する印刷媒体を一時的に貯めておく装置が必要となるが、インクジェット式印刷装置と電子写真式印刷装置の画像形成速度を合わせることにより必要なくなる。
【００１８】
前記第２の手段においては、複数のインクジェットヘッドのうち1個以上のインクジェットヘッドの故障が発生した場合、選択可能なインクジェットヘッド数の少ない画像形成装置の画像形成速度に合せて、各画像形成装置の光源の個数と配置、および各画像形成装置のインクジェットヘッドの個数と配置を決定し、画像形成速度を遅くして画像形成を継続できる。
【００１９】
また、画像形成を行う光源と停止する光源を任意の周期で変更することにより、光源交換周期が伸びることによりメンテナンス性が良くなる。
【００２０】
また、後続に画像形成速度の遅いインクジェット式印刷装置がある場合、電子写真式印刷装置との速度差により発生する印刷媒体を一時的に貯めておく装置が必要となるが、電子写真式印刷装置とインクジェット式印刷装置の画像形成速度を合わせることにより必要なくなる。
【００２１】
前記第３の手段においては、光源またはインクジェットヘッドの故障を検知したときに、故障した光源の個数と配置、故障したインクジェットヘッドの個数と配置、画像形成装置番号を画像形成システムの販売・製造メーカーに通知することにより、故障部品の交換までの時間が短縮できる。
【００２２】
前記第４の手段においては、光源またはインクジェットヘッドの故障を検知したときに、光源またはインクジェットヘッドの故障を検知したときに、故障した光源の個数と配置、故障したインクジェットヘッドの個数と配置、画像形成装置番号をユーザーに通知する通知手段を有することにより、故障部品の交換までの時間が短縮できる。
【発明を実施するための最良の形態】
【００２３】
画像形成装置システムは、２台の画像形成装置を同期させながら画像形成を行う画像形成制御装置Ｃにより構成する。１台より印刷媒体Ｗの表面を印刷して１台より裏面を印刷する構成とする場合、２台により印刷媒体Ｗの表面を印刷する構成とする場合、複数台すべてにより裏面を印刷する構成とする場合の画像形成装置システムがある。
【００２４】
図２は、画像形成装置のひとつである電子写真式印刷装置Ｐ１と、画像形成装置のひとつであるインクジェット方式印刷装置Ｐ２と、画像形成制御装置Ｃにより構成する画像形成装置システムで、先頭の電子写真式印刷装置Ｐ１により表面を印刷して、送り出されてきた印刷媒体Ｗの表裏は反転装置Ｔによって反転され、後続のインクジェット方式印刷装置Ｐ２に送り込まれて印刷媒体Ｗの裏面に印刷する例を示している。
【００２５】
印刷媒体Ｗは、搬送ローラ２０６ａ, ２０６ｂによって印写部２１０へ送り込まれる。印写部２１０には、像担持体として例示される感光体ドラム２０１が回転を開始すると、コロナ帯電器２０２に高電圧が印加され、感光体ドラム２０１表面は均一に帯電される。光走査装置２０３から出力された光は、感光体ドラム２０１上を像露光し、感光体ドラム２０１上に静電潜像を形成する。この静電潜像を保持した感光体ドラム領域が現像装置２０４と対向する位置に到達すると、静電潜像に現像剤が供給され、感光体ドラム２０１上にトナー像が形成される。感光体ドラム２０１上に形成されたトナー像は、印刷媒体Ｗの背面側にトナー像と逆極性の電荷を付与する転写器２０５の作用によって印刷媒体Ｗ上に吸引される。
【００２６】
上記のようにして印写部２１０からトナー像が転写された印刷媒体Ｗは、搬送ベルト２０７によって後段へと搬送される。また、搬送ベルト２０７は、駆動ローラ２０８ａと従動ローラ２０８ｂに掛け渡して支持されるとともに、吸引装置（図示せず）を備えた構成となっており、印刷媒体Ｗの背面を搬送ベルト２０７上に吸着させた状態で搬送するように構成されている。
【００２７】
搬送ベルト２０７から送り出された印刷媒体Ｗは、バッファプレート２０９を経て定着装置２１１に搬送される。定着装置２１１に到達した印刷媒体Ｗは、プレヒータ２１２で予熱された後、加熱ローラ２１３ａと加圧ローラ２１３ｂからなる一対の定着ローラによって形成されるニップ部によって加熱加圧されながら挟持搬送され、トナー像が印刷媒体Ｗに溶融定着される。加熱ローラ２１３ａと加圧ローラ２１３ｂによって送り出されてきた印刷媒体Ｗは、送り出しローラを経て電子写真式印刷装置Ｐ１の外へと排出され、インクジェット方式印刷装置Ｐ２に向けて搬送される。
【００２８】
インクジェット方式印刷装置Ｐ２では、印刷媒体Ｗは給紙搬送ローラ２３１ａ、２３１ｂにより給紙部からインクジェット装置２３３に対向する走行プレート２３２上へ搬送される。
【００２９】
インクジェット装置２３３には適時にインクパージ部２３６によるパージ動作（インク滴の吐出不良を除去する動作を行う。）と、インク補給部２３５によりインク補給を行われたインクジェットヘッド２３４が印刷媒体Ｗに対向する位置に移動しており、走行プレート２３２上の印刷媒体Ｗにインク滴吐出を行う。その後、走行プレート２３２上を搬送された印刷媒体Ｗは排紙ローラ２３７ａ、２３７ｂによって搬送され、インクジェット方式印刷装置Ｐ２の外へと排出される。
（実施例１）
図１は本発明の実施例１を示した図であり、画像形成装置が１台の電子写真式印刷装置と１台のインクジェット式印刷装置とから構成する場合を示している。電子写真式印刷装置Ｐ１の光源としてレーザを使用した場合の光走査装置（図２の２０３と同一）の詳細な構成と、電子写真式印刷装置Ｐ１の制御部１１０と、インクジェット式印刷装置Ｐ２のインクジェット装置（図２の２３３と同一）の詳細な構成と、インクジェット式印刷装置Ｐ２の制御部１２０と、画像形成制御装置Ｃの制御部１３０と画像信号生成部１３１等を示している。
【００３０】
電子写真式印刷装置Ｐ１の制御部１１０は、ＣＰＵ、メモリ、タイマ、アナログデジタル変換器等により構成されており電子写真式印刷装置Ｐ１の制御全般を行う。光走査装置は、レーザ光源１０１、回転多面鏡１０２、ｆθレンズ１０３、走査光検出器１０４、感光体ドラム１０５、回転多面鏡モータ１０６、回転多面鏡モータ駆動部１１１、レーザ制御部１１２から構成され、レーザ制御部１１２は、画像信号入力部１１３、レーザ駆動部１１４、レーザ故障検知部１１５等から構成される。
【００３１】
インクジェット式印刷装置Ｐ２の制御部１２０は、ＣＰＵ、メモリ、タイマ、アナログデジタル変換器等により構成されておりインクジェット式印刷装置の制御全般を行う。インクジェット装置は、インクジェットヘッド１２１、インクジェット制御部１２２等から構成され、インクジェット制御部１２２は、画像信号入力部１２３、インクジェットヘッド駆動部１２４、インクジェットヘッド故障検知部１２５等から構成される。
【００３２】
画像形成制御装置Ｃは、制御部１３０と画像信号生成部１３１から構成され、画像信号生成部１３１は、画像展開部１３２、画像信号出力部１３３、周波数設定部１３４等から構成される。
【００３３】
正常時の動作について説明を行う。
画像形成制御装置Ｃの制御部１３０は、電子写真式印刷装置Ｐ１の制御部１１０にレーザ光源番号、画像形成速度、画像信号周波数、回転多面鏡の回転速度を設定して印刷指示を行い、制御部１１０では、指示された回転多面鏡の回転速度と回転多面鏡の面数により光の主走査方向の速度を決定する。
【００３４】
また、画像形成制御装置Ｃの制御部１３０は、インクジェット式印刷装置Ｐ２の制御部１２０にインクジェットヘッド番号、画像形成速度、画像信号周波数を設定して印刷指示を行う。制御部１２０では、指示された画像形成速度と画像信号周波数によりインクジェットヘッドの動作速度を決定する。
【００３５】
画像形成制御装置Ｃの画像信号生成部１３１では、画像展開部１３２にてホストコンピュータ等からの画像情報からドットイメージに変換された文字データや図形データに展開を行い、周波数設定部１３３では画像信号の周波数を設定する。周波数は、あらかじめ準備された複数の周波数から選択する方法、ＰＬＬ周波数シンセサイザ回路により周波数を設定する方法等により設定する。
【００３６】
電子写真式印刷装置Ｐ１の制御部１１０は、設定された回転多面鏡の回転速度での動作を回転多面鏡モータ駆動部１１１に指示し、回転多面鏡モータ駆動部１１１は回転多面鏡１０２が固定されている回転多面鏡モータ１０６の駆動を行う。走査光検出器１０４は、感光体ドラム１０５と光学的に等しい距離で、かつ、主走査方向に対し感光体ドラム１０５より前にレーザビームが照射される位置に設置されており、走査光検出信号（水平同期信号の原信号）を生成するとともに、走査光が感光体ドラム１０５上を走査する際、画像形成制御装置Ｃからの画像信号の副走査方向の送信開始位置（印刷開始位置）を決定する。回転多面鏡の回転速度が設定値に到達すると、制御部１１０は、走査光検出器１０４からの走査光検出信号より生成された水平同期信号または源信号を画像形成制御装置Ｃの画像信号生成部１３１に送信する。
【００３７】
画像形成制御装置Ｃの画像信号生成部１３１では、送信された水平同期信号と同期して、周波数設定部１３４にて設定された周波数にて生成された画像信号を画像信号出力部１３３からレーザ制御部１１２の画像信号入力部１１３へ送信する。
【００３８】
電子写真式印刷装置Ｐ１のレーザ制御部１１２では、画像形成制御装置Ｃから送信された画像信号にしたがい、レーザ駆動部１１４よりレーザ光源１０１の駆動が行われる。レーザ駆動部１１４では、つねにレーザ光源１０１に内蔵されたフォトダイオードを流れる電流をモニタしており、フォトダイオードにより検出される各レーザの光量が一定値になるようにレーザ駆動電流を変化させて制御している。複数のレーザ光源１０１から出射した複数本のレーザビームは、回転多面鏡１０２で反射し、ｆθレンズ１０３を通じて感光体ドラム１０５上を走査しながら照射される。このとき、ドットイメージに変換された文字データや図形データが画像信号（レーザビームのON/OFF信号）となり、感光体ドラム１０５の表面にレーザビームが照射される部分と照射されない部分とが形成され、いわゆる静電潜像が形成される。
【００３９】
インクジェット式印刷装置Ｐ２の制御部１２０では、画像形成制御装置Ｃから送信された画像信号にしたがい、インクジェット駆動部１２４よりインクジェットヘッド１２１の駆動を行なわれる。インクジェット駆動部１２４では、つねにインクジェットヘッド１２１のピエゾ素子に流れる電流をモニタしており、インクジェットヘッド故障検知部１２５にて電流値から故障を検知している。複数のインクジェットヘッド１２１から吐出されたインク滴が印刷媒体Ｗ上に着地する。このとき、ドットイメージに変換された文字データや図形データが画像信号（インクジェットヘッドのON/OFF信号）となり、印刷媒体Ｗ上にインク滴が吐出した部分と吐出しない部分とが形成され印刷画像が形成される。
【００４０】
故障時の動作について、電子写真式印刷装置Ｐ１のレーザ光源１０１が４本のレーザ（副走査方向順にＰ１−Ｌ１、Ｐ１−Ｌ２、Ｐ１−Ｌ３、Ｐ１−Ｌ４とする。）から構成され、インクジェット式印刷装置Ｐ２のインクジェットヘッド１２１が４本のインクジェットヘッド（副走査方向順にＰ２−Ｈ１、Ｐ２−Ｈ２、Ｐ２−Ｈ３、Ｐ２−Ｈ４とする。）から構成され、電子写真式印刷装置Ｐ１のレーザ光源１０１には２本（Ｐ１−Ｌ１、Ｐ１−Ｌ２）の故障があり、インクジェット式印刷装置Ｐ２のインクジェットヘッド１２１には故障がなく、使用可能なレーザ光源が少ない電子写真式印刷装置Ｐ１のレーザ光源数に合せて、画像信号周波数を変更せずに画像形成速度を下げて印刷を行う場合を例として説明を行う。
【００４１】
電子写真式印刷装置Ｐ１の制御部１１０では常時レーザ光源の故障判断を行っており、レーザ故障検知部１１５からの故障したレーザ配置と個数を示す故障検知信号を検知した場合、または、走査光検出器１０４により生成された走査光検出信号の信号レベルが規定値範囲外となった場合に故障と判断する。レーザ故障検知部１１５では、つねに各レーザの駆動電流を規定値と比較して、レーザ駆動電流が規定値範囲外となった場合にレーザ故障と判断する。
【００４２】
印刷中に電子写真式印刷装置Ｐ１のレーザ光源１０１の２本（Ｐ１−Ｌ１、Ｐ１−Ｌ２）の故障が発生した場合、一時的に印刷を停止するとともに画像形成制御装置Ｃに故障状況を報告する。画像形成制御装置Ｃは故障報告を受けると、インクジェット式印刷装置Ｐ２に停止指示を行いインクジェット式印刷装置Ｐ２を一時的に停止させる。
【００４３】
次に、画像形成制御装置Ｃは、下記にしたがい使用するレーザ光源番号、画像信号周波数、回転多面鏡の回転速度（光の主走査方向の速度）を決定して、電子写真式印刷装置Ｐ１の制御部１１０に指示し、また、下記にしたがい使用するインクジェットヘッド番号、画像形成速度、画像信号周波数を決定してインクジェット式印刷装置Ｐ２の制御部１２０に指示する。
【００４４】
電子写真式印刷装置Ｐ１のレーザ光源１０１の２本（Ｐ１−Ｌ１、Ｐ１−Ｌ２）の故障状況から、電子写真式印刷装置Ｐ１の使用するレーザ光源をＰ１−Ｌ３、Ｐ１−Ｌ４とし、インクジェット式印刷装置Ｐ２の使用するインクジェットヘッドをＰ２−Ｈ３、Ｐ２−Ｈ４と決定する。なお、インクジェット式印刷装置Ｐ２の使用する２本インクジェットヘッドは任意である。また、任意の２本インクジェットヘッドを任意の周期で変更してもよい。
画像形成速度は、使用するレーザ光源数から次式にて決定する。
【００４５】
故障時の画像形成速度＝正常時の画像形成速度×使用レーザ光源数／正常時のレーザ光源数電子写真式印刷装置Ｐ１では、回転多面鏡の回転速度（光の主走査方向の走査速度）を変更せずに、指示されたレーザ光源番号、画像形成速度に合せて、制御部１１０より感光体ドラム２０１、コロナ帯電器２０２、現像装置２０４、転写器２０５、搬送ローラ２０６ａ、２０６ｂ、搬送ベルト２０７、駆動ローラ２０８ａ、従動ローラ２０８ｂ、バッファプレート２０９、プレヒータ２１２、加熱ローラ２１３ａ、加圧ローラ２１３ｂ等の各部の制御条件を変更する。
【００４６】
また、インクジェット式印刷装置Ｐ２では、インクジェットヘッド１２１の動作速度は変更せずに、指定されたインクジェットヘッド番号、画像形成速度に合せて、制御部１２０よりインクジェットヘッド２３４、インク補給部２３５、インクパージ部２３６、給紙搬送ローラ２３１ａ, ２３１ｂ、走行プレート２３２、排紙搬送ローラ２３７ａ, ２３７ｂ等の各部の制御条件を変更して印刷を再開する。
【００４７】
なお、先頭にインクジェット方式印刷装置Ｐ２を、後続に電子写真式印刷装置Ｐ１を配置した構成でも良い。
【００４８】
また、電源投入時にも故障判断は行っており、故障検出時には同様な制御を行う。
【００４９】
また上記の故障時には、故障したレーザ光源の個数、配置、画像形成装置番号および故障部位の交換依頼を画像形成装置または画像形成制御装置Ｃのデイスプレイ（図示せず）、または、ホストコンピュータ上に表示することによりユーザーに通知する。また、画像形成装置または画像形成制御装置Ｃまたはホストコンピュータを各種のネットワークに接続することにより、画像形成システムの販売・製造・保守部門に同様の通知を行い、早急な故障部位の交換対応を行う。
（実施例２）
次に本発明の実施例２について説明する。
【００５０】
実施例１と同様に、電子写真式印刷装置Ｐ１のレーザ光源１０１が４本のレーザ（副走査方向順にＰ１−Ｌ１、Ｐ１−Ｌ２、Ｐ１−Ｌ３、Ｐ１−Ｌ４とする。）から構成され、インクジェット式印刷装置Ｐ２のインクジェットヘッド１２１が４本のインクジェットヘッド（副走査方向順にＰ２−Ｈ１、Ｐ２−Ｈ２、Ｐ２−Ｈ３、Ｐ２−Ｈ４とする。）から構成され、インクジェット式印刷装置Ｐ２のインクジェットヘッド１２１に２本（Ｐ２−Ｈ１、Ｐ２−Ｈ２とする。）の故障があり、電子写真式印刷装置Ｐ１のレーザ光源１０１には故障がなく、使用可能なインクジェットヘッドが少ないインクジェット式印刷装置Ｐ２のインクジェットヘッド数に合せて、画像信号周波数を変更せずに画像形成速度を変更して印刷を行う場合を例として説明を行う。
【００５１】
インクジェット式印刷装置Ｐ２の制御部１２０では、常時インクジェットヘッドの故障判断を行っており、インクジェットヘッド故障検知部１２５からの故障したインクジェットヘッドの配置と個数を示す故障検知信号を検知した場合、インクジェットヘッド故障と判断して、制御部１２０に故障したインクジェットヘッド数と配置を示す故障検知信号を送信する。
【００５２】
印刷中にインクジェット式印刷装置Ｐ２のインクジェットヘッド１２１の２本（Ｐ２−Ｈ１、Ｐ２−Ｈ２）の故障が発生した場合、一時的に印刷を停止するとともに画像形成制御装置Ｃに故障状況を報告する。画像形成制御装置Ｃは故障報告を受けると、電子写真式印刷装置Ｐ１に停止指示を行い、電子写真式印刷装置Ｐ１を一時的に停止させる。
【００５３】
次に、画像形成制御装置Ｃは、下記にしたがい使用するレーザ光源番号、画像信号周波数、回転多面鏡の回転速度（光の主走査方向の速度）を決定して、電子写真式印刷装置Ｐ１の制御部１１０に指示し、また、下記にしたがい使用するインクジェットヘッド番号、画像形成速度、画像信号周波数を決定してインクジェット式印刷装置Ｐ２の制御部１２０に指示する。
【００５４】
インクジェット式印刷装置Ｐ２のインクジェットヘッド１２１の２本（Ｐ２−Ｈ１、Ｐ２−Ｈ２）の故障状況から、電子写真式印刷装置Ｐ１の使用するレーザ光源をＰ１−Ｌ３、Ｐ１−Ｌ４とし、インクジェット式印刷装置Ｐ２の使用するインクジェットヘッドをＰ２−Ｈ３、Ｐ２−Ｈ４と決定する。なお、電子写真式印刷装置Ｐ１の使用するレーザ光源は連続するレーザ光源であるＰ１−Ｌ１、Ｐ１−Ｌ２またはＰ１−Ｌ２、Ｐ１−Ｌ３の組合せでも良い。また、Ｐ１−Ｌ３、Ｐ１−Ｌ４の組合せと、Ｐ１−Ｌ１、Ｐ１−Ｌ２の組合せと、レーザ光源Ｐ１−Ｌ２、Ｐ１−Ｌ３の組合せを任意の周期で変更してもよい。
故障時の画像形成速度＝正常時の画像形成速度×使用インクジェットヘッド数／正常時のインクジェットヘッド数
電子写真式印刷装置Ｐ１では、回転多面鏡の回転速度（光の主走査方向の走査速度）を変更せずに、指示されたレーザ光源番号、画像形成速度に合せて、制御部１１０より感光体ドラム２０１、コロナ帯電器２０２、現像装置２０４、転写器２０５、搬送ローラ２０６ａ、２０６ｂ、搬送ベルト２０７、駆動ローラ２０８ａ、従動ローラ２０８ｂ、バッファプレート２０９、プレヒータ２１２、加熱ローラ２１３ａ、加圧ローラ２１３ｂ等の各部の制御条件を変更する。
【００５５】
また、インクジェット式印刷装置Ｐ２では、インクジェットヘッド１２１の動作速度は変更せずに、指定されたインクジェットヘッド番号、画像形成速度に合せて、制御部１２０よりインクジェットヘッド２３４、インク補給部２３５、インクパージ部２３６、給紙搬送ローラ２３１ａ, ２３１ｂ、走行プレート２３２、排紙搬送ローラ２３７ａ, ２３７ｂ等の各部の制御条件を変更して印刷を再開する。
【００５６】
なお、先頭にインクジェット方式印刷装置Ｐ２を、後続に電子写真式印刷装置Ｐ１を配置した構成でも良い。
【００５７】
また、電源投入時にも故障判断は行っており、故障検出時には同様な制御を行う。
【００５８】
また上記の故障時には、故障したインクジェットヘッドの個数、配置、画像形成装置番号および故障部位の交換依頼を画像形成装置または画像形成制御装置Ｃのデイスプレイ（図示せず）、または、ホストコンピュータ上に表示することによりユーザーに通知する。また、画像形成装置または画像形成制御装置Ｃまたはホストコンピュータを各種のネットワークに接続することにより、画像形成システムの販売・製造・保守部門に同様の通知を行い、早急な故障部位の交換対応を行う。
【図面の簡単な説明】
【００５９】
【図１】本発明の実施例に係る画像形成システムの実施方法を示した説明図である。
【図２】本発明の実施例に係る画像形成システムの全体構成図である。
【符号の説明】
【００６０】
１０１：レーザ光源、１０２：回転多面鏡、１０３：ｆθレンズ、１０４：走査光検出器、１０５：感光体ドラム、１０６：回転多面鏡モータ、１１０：制御部、１１１：回転多面鏡モータ駆動部、１１２：レーザ制御部、１１３：画像信号入力部、１１４：レーザ駆動部、１１５：レーザ故障検知部、１２０：制御部、１２１：インクジェットヘッド、１２２：インクジェット制御部、１２３：画像信号入力部、１２４：インクジェットヘッド駆動部、１２５：インクジェットヘッド故障検知部、１３０：制御部、１３１：画像信号生成部、１３２：画像展開部、１３３：画像信号出力部、１３４：周波数設定部、２０１：感光体ドラム、２０２：コロナ帯電器、２０４：現像装置、２０５：転写器、２０６ａ、２０６ｂ：搬送ローラ、２０７：搬送ベルト、２０８ａ：駆動ローラ、２０８ｂ：従動ローラ、２０９：バッファプレート、２１２：プレヒータ、２１３ａ：加熱ローラ、２１３ｂ：加圧ローラ、２３４：インクジェットヘッド、２３５：インク補給部、２３６：インクパージ部、２３１ａ,２３１ｂ：給紙搬送ローラ、２３２：走行プレート、２３７ａ,２３７ｂ：排紙搬送ローラ、Ｃ：画像形成制御装置、Ｐ１：電子写真式印刷装置、Ｐ２：インクジェット式印刷装置、Ｗ：印刷媒体、Ｔ：反転装置。
【図１】
2010076172.tif 000003
【図２】
2010076172.tif 000004